【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
入力電圧を受け取り、出力電圧を送るよう構成されたスイッチングユニットと、
パルス幅変調器を含むフィードバックパスと、前記フィードバックパスはフィルタを有さず、前記パルス幅変調器は、前記スイッチングユニットの前記出力電圧と直接的に結合された入力を有し、前記パルス幅変調器は、受け取った基準電圧を中心とし、前記受け取った基準電圧に対して対称である三角波形を受け取り、前記スイッチングユニットに信号を送るよう構成される、
前記スイッチングユニットの前記出力電圧を受け取り、訂正電圧を前記パルス幅変調器の他の入力に送るよう構成された補償および訂正パスと、を備える、パワーコンバータ。
【請求項２】
前記補償および訂正パスは、前記出力電圧を受け取るよう構成されたセンサ利得と、前記センサ利得から出力を受け取るよう構成されたオペアンプと、前記オペアンプによって生成されるエラー信号を受け取るよう構成された補償器とを含む、請求項１に記載のパワーコンバータ。
【請求項３】
前記補償器は、前記パルス幅変調器によって利用される基準電圧を変更するために、前記訂正信号を前記パルス幅変調器に送るよう構成される、請求項２に記載のパワーコンバータ。
【請求項４】
前記パルス幅変調器の前記入力は、前記スイッチングユニットの前記出力電圧と直接的に結合され、前記パルス幅変調器は、前記スイッチングユニットに信号を送るように構成され、前記パルス幅変調器は、前記出力電圧の変化に応じて前記三角波形を調整するようにさらに構成される、請求項１に記載のパワーコンバータ。
【請求項５】
前記パルス幅変調器は前記スイッチングユニットのトランジスタに信号を送るよう構成される、請求項１に記載のパワーコンバータ。
【請求項６】
前記パルス幅変調器は、前記出力電圧の前記変化の方向と逆方向に、前記三角波を調整するよう構成される、請求項１に記載のパワーコンバータ。
【請求項７】
エラー訂正を供給するための補償パスと前記フィードバックパスとを含む単一の制御ループをさらに備える、請求項１に記載のパワーコンバータ。
【請求項８】
前記フィードバックパスは、高速一時的応答を供給するよう構成される、請求項１に記載のパワーコンバータ。
【請求項９】
パルス幅変調器によって、制御ループの第１パスを介してスイッチングパワーコンバータの出力電圧を受け取ることと、前記制御ループの前記第１パスは、フィルタを用いずに前記パルス幅変調器に前記出力電圧を直接的に結合する、
前記パルス幅変調器によって、前記制御ループの第２の別のパスを介して、前記スイッチングパワーコンバータの前記出力電圧に基づく訂正電圧を受け取ることと、
前記訂正電圧を受け取ることに応じて、基準電圧を中心とする三角波形を調整することと、前記三角波形は、前記受け取った基準電圧に対して対称である、
前記スイッチングパワーコンバータの前記出力電圧と前記訂正電圧の少なくとも一つに応じて、前記スイッチングパワーコンバータを制御することを備える、方法。
【請求項１０】
出力電圧を受け取ることは、前記パルス幅変調器において前記出力電圧を直接受け取ることを備える、請求項９に記載の方法。
【請求項１１】
出力電圧を受け取ることは、負荷状態を変動することにより生じる前記出力電圧の変化を検出することを備える、請求項９に記載の方法。
【請求項１２】
前記三角波を調整することは、前記出力電圧の前記変化の方向と逆方向に、前記三角波を調整することを備える、請求項９に記載の方法。
【請求項１３】
前記三角波を前記基準電圧を中心とすることをさらに備える、請求項９に記載の方法。
【請求項１４】
前記訂正電圧を受け取ることに応じて、受け取った基準電圧を変更することをさらに備える、請求項９に記載の方法。
【請求項１５】
パルス幅変調器によって、制御ループの第１パスを介してスイッチングパワーコンバータの出力電圧を受け取るための手段と、前記制御ループの前記第１パスは、フィルタを用いずに前記パルス幅変調器に前記出力電圧を直接的に結合する、
前記パルス幅変調器によって、前記制御ループの第２の別のパスを介して、前記スイッチングパワーコンバータの前記出力電圧に基づく訂正電圧を受け取るための手段と、
前記訂正電圧を受け取ることに応じて、基準電圧を中心とする三角波形を調整するための手段と、前記三角波形は、前記受け取った基準電圧に対して対称である、
前記スイッチングパワーコンバータの前記出力電圧と前記訂正電圧の少なくとも一つに応じて、前記スイッチングパワーコンバータを制御するための手段と、を備える、デバイス。
【請求項１６】
前記訂正電圧を受け取ることに応じて、基準信号を中心とする三角波を調整するための手段をさらに備える、請求項１５に記載のデバイス。
【請求項１７】
入力電圧を受け取り、出力電圧を送るよう構成されたスイッチングユニットと、
前記出力電圧と直接的に結合された入力を有し、前記スイッチングユニットに信号を送るよう構成された、パルス幅変調器を含むフィードバックパスと、
前記出力電圧を受け取り、訂正電圧を前記パルス幅変調器の他の入力に送るよう構成された補償および訂正パスと、を備え、
前記パルス幅変調器は、
基準電圧と訂正電圧を受け取り、変更された基準電圧を送るための第１加算器と、
スケールされたランプ電圧と前記変更された基準電圧を受け取り、スケールされた、変更された基準電圧を送るための第２加算器と、
前記出力電圧と、前記スケールされた、変更された基準電圧を受け取り、変調電圧を送るための比較器と、
前記変調電圧を受け取り、前記変調電圧を前記パルス幅変調器の利得により割り、出力を送るよう構成されたディバイダと、を備える、パワーコンバータ。
【手続補正２】
【補正対象書類名】明細書
【補正対象項目名】００３９
【補正方法】変更
【補正の内容】
【００３９】
[0048]開示された実例となる実施形態の上記説明は、いかなる当業者であっても、本発明の製造または使用を可能にするように提供される。これら実例となる実施形態への様々な変更は、当業者にとって容易に明らかであり、ここに定義された一般的な原理は、本発明の主旨または範囲から逸脱することなく、他の実施形態にも適用されうる。したがって、本発明は、ここに示された実例となる実施形態に限定されるようには意図されず、ここに開示される原理および新規な特徴と一致する最も広い範囲を与えられることとなる。
以下に、本願出願の当初の特許請求の範囲に記載された発明を付記する。
［Ｃ１］
入力電圧を受け取り、出力電圧を送るよう構成されたスイッチングユニットと、
前記出力電圧と直接的に結合された入力を有し、前記スイッチングユニットに信号を送るよう構成されたパルス幅変調器を含むフィードバックパスを備える、パワーコンバータ。
［Ｃ２］
前記出力電圧を受け取り、訂正電圧を前記パルス幅変調器の他の入力に送るよう構成された補償および訂正パスをさらに備える、Ｃ１に記載のパワーコンバータ。
［Ｃ３］
前記補償および訂正パスは、前記出力電圧を受け取るよう構成されたセンサ利得、前記センサ利得から出力を受け取るよう構成されたオペアンプと、前記オペアンプによって生成されるエラー信号を受け取るよう構成された補償器を含む、Ｃ２に記載のパワーコンバータ。
［Ｃ４］
前記補償器は、前記パルス幅変調器によって利用される基準電圧を変更するために、前記訂正信号を前記パルス幅変調器に送るよう構成される、Ｃ３に記載のパワーコンバータ。
［Ｃ５］
Ｃ１に記載のパワーコンバータであって、前記パルス幅変調器は、
基準電圧と訂正電圧を受け取り、変更された基準電圧を送るための第１加算器と、スケールされたランプ電圧と前記変更された基準電圧を受け取り、スケールされた、変更された基準電圧を送るための第２加算器と、
前記出力電圧と、前記スケールされた、変更された基準電圧を受け取り、変調電圧を送るための比較器と、
前記変調電圧を受け取り、前記変調電圧を前記パルス幅変調器の利得により割り、出力を送るよう構成されたディバイダを備える。
［Ｃ６］
前記パルス幅変調器は前記スイッチングユニットのトランジスタに信号を送るよう構成される、Ｃ１に記載のパワーコンバータ。
［Ｃ７］
前記パルス幅変調器は、受け取った基準電圧を中心とする三角波形を受け取るよう構成される、Ｃ１に記載のパワーコンバータ。
［Ｃ８］
前記パルス幅変調器は、前記出力電圧の変化に応じて、前記三角波形を調整するよう構成される、Ｃ７に記載のパワーコンバータ。
［Ｃ９］
前記パルス幅変調器は、前記出力電圧の前記変化の方向と逆方向に、前記三角波を調整するよう構成される、Ｃ８に記載のパワーコンバータ。
［Ｃ１０］
エラー訂正を供給するための補償パスと前記フィードバックパスを含む単一の制御ループをさらに備える、Ｃ１に記載のパワーコンバータ。
［Ｃ１１］
前記フィードバックパスは、高速一時的応答を供給するよう構成される、Ｃ１に記載のパワーコンバータ。
［Ｃ１２］
制御ループの第１パスを介してスイッチングパワーコンバータの出力電圧を受け取ることと、
前記制御ループの第２の別のパスを介して、前記出力電圧に基づく訂正電圧を受け取ることと、
前記出力電圧と前記訂正電圧の少なくとも一つに応じて、前記スイッチングパワーコンバータを制御することを備える、方法。
［Ｃ１３］
出力電圧を受け取ることは、パルス幅変調器において前記出力電圧を直接受け取ることを備える、Ｃ１２に記載の方法。
［Ｃ１４］
出力電圧を受け取ることは、負荷状態を変動することにより生じる前記出力電圧の変化を検出することを備える、Ｃ１２に記載の方法。
［Ｃ１５］
前記訂正電圧を受け取ることに応じて、基準電圧を中心とする三角波を調整することをさらに備える、Ｃ１２に記載の方法。
［Ｃ１６］
前記三角波を調整することは、前記出力電圧の前記変化の方向と逆方向に、前記三角波を調整することを備える、Ｃ１５に記載の方法。
［Ｃ１７］
前記三角波を前記基準電圧を中心とすることをさらに備える、Ｃ１５に記載の方法。
［Ｃ１８］
前記訂正電圧を受け取ることに応じて、受け取った基準電圧を変更することをさらに備える、Ｃ１２に記載の方法。
［Ｃ１９］
制御ループの第１パスを介してスイッチングパワーコンバータの出力電圧を受け取るための手段と、
前記制御ループの第２の別のパスを介して、前記出力電圧に基づく訂正電圧を受け取るための手段と、
前記出力電圧と前記訂正電圧の少なくとも一つに応じて、前記スイッチングパワーコンバータを制御するための手段を備える、デバイス。
［Ｃ２０］
前記訂正電圧を受け取ることに応じて、基準電圧を中心とする三角波を調整するための手段をさらに備える、Ｃ１９に記載のデバイス。